(57)【要約】【課題】使い捨てが当たり前になっているマスクを簡単に殺菌でき、マスクの繰り返し使用を可能にするマスク用除菌器を提供する。【解決手段】マスク用除菌器はマスクを入れる容器Ａと、その容器内に少なくとも一つ設けられたマスクホルダーと、前記マスクホルダーに保持されたマスクを除菌する殺菌用ＵＶランプと、前記殺菌用ＵＶランプを電源に接続する接続手段とを備えており、必要に応じて、前記容器は、二つのケースを蝶番で連結し開閉可能に構成した２枚貝状の形状として構成することが可能である。また、前記容器には前記ＵＶランプの点灯状況を表示する表示手段を設けることもできる。本発明に係るマスク用除菌により除菌することにより、繰り返しの使用を可能にする。このためマスクを大量に購入する必要もなく、経済的な負担も軽くて済む。さらに強度的にも複数回使用できるマクスであれば、長期使用が可能であり省資源の観点からも好ましい。【選択図】図１
2011078678.tif 000002
【特許請求の範囲】
【請求項１】
マスクを入れる容器と、その容器内に少なくとも一つ設けられたマスクホルダーと、前記マスクホルダーに保持されたマスクを除菌する殺菌用ＵＶランプと、前記殺菌用ＵＶランプを電源に接続する接続手段とを備えていることを特徴とするマスク用除菌器。
【請求項２】
前記容器は、二つのケースを蝶番で連結し開閉可能に構成した２枚貝状の形状として構成したことを特徴とする請求項１に記載のマスク用除菌器。
【請求項３】
前記マスクホルダーは交換可能に構成されていることを特徴とする請求項１または２に記載のマスク用除菌器。
【請求項４】
前記容器にはマスクの耳かけ紐を保持するフックが設けられていることを特徴とする請求項１〜３のいずれかに記載のマスク用除菌器。
【請求項５】
前記容器には前記ＵＶランプの点灯状況を表示する表示手段を設けたことを特徴とする請求項１〜４のいずれかに記載のマスク用除菌器。
【発明の詳細な説明】
【技術分野】
【０００１】
本発明は、使い捨てが当たり前になっているマスクを簡単に殺菌でき、マスクの繰り返し使用を可能にするマスク用除菌器に関するものである。
【背景技術】
【０００２】
新型インフルエンザ等の流行に伴い、その感染予防にマスクが必需品となっているが、マスクは一度使用するとマスク自体に菌やウイルスが付着し、繰り返し使用することは危険であり、使い捨てが原則である。しかし、使い捨てであるが故に、マスクを大量に購入しても直ぐに買い足さねぱならず、経済的な負担が大きいだけでなく、市場でのマスク不足が深刻となってきている。
また、強度的には複数回使えるマスクを、１度の使用で捨てなけれぱならないのは、極めてもったいなく、省資源の観点からも由々しきことである。
【０００３】
このような背景の中で、マスク自体に抗菌性をもたせ、マスクの再使用を可能にしたもの（特許文献１）、あるいはマスクの殺菌が可能なＵＶ殺傷チャンバを含む空気供給装置（特許文献２）等が提案されている。
しかし上記公知技術はいずれも、使用済みマスクを簡単に殺菌、除菌し、再使用できるようにしたものではなく、相変わらずマスクの使い捨てが現実的である。
また、本出願人によるマスク用除菌器について、特許庁電子図書館により先行文献調査をおこなってみたが、本件に該当するマスク用除菌器については先行文献が見当たらなかった。
【発明の概要】
【発明が解決しようとする課題】
【０００４】
そこで本発明は、上記の問題点を解決するために、使い捨てが当たり前になっているマスクを簡単に殺菌、除菌でき、マスクの繰り返し使用を可能にするマスク用除菌器を提案するものである。
【課題を解決するための手段】
【０００５】
このため、本発明が採用した課題解決手段は、
マスクを入れる容器と、その容器内に少なくとも一つ設けられたマスクホルダーと、前記マスクホルダーに保持されたマスクを除菌する殺菌用ＵＶランプと、前記殺菌用ＵＶランプを電源に接続する接続手段とを備えていることを特徴とするマスク用除菌器である。  また、前記容器は、二つのケースを蝶番で連結し開閉可能に構成した２枚貝状の形状として構成したことを特徴とするマスク用除菌器である。
また、前記マスクホルダーは交換可能に構成されていることを特徴とするマスク用除菌器である。
また、前記容器にはマスクの耳かけ紐を保持するフックが設けられていることを特徴とするマスク用除菌器である。
また、前記容器には前記ＵＶランプの点灯状況を表示する表示手段を設けたことを特徴とするマスク用除菌器である。
【発明の効果】
【０００６】
本発明によれば、使い捨てが原則であるマスクを、本発明に係るマスク用除菌器により除菌することにより、繰り返しの使用を可能にする。このためマスクを大量に購入する必要もなく、経済的な負担も軽くて済む。さらに強度的にも複数回使用できるマクスであれば、長期使用が可能であり省資源の観点からも好ましい、等のすぐれた効果を奏することができる。
【図面の簡単な説明】
【０００７】
【図１】図１は本発明の第１実施例にかかるマスク用除菌器の平面図である。
【図２】図２は同マスク用除菌の側面図である。
【図３】図３は本発明の第２実施例にかかるマスク用除菌器の平面図である。
【図４】図４は同第２実施例にかかるマスク用除菌の側面図である。
【発明を実施するための形態】
【０００８】
本発明を実施するための形態としては、マスク用除菌器はマスクを入れる容器と、その容器内に少なくとも一つ設けられたマスクホルダーと、前記マスクホルダーに保持されたマスクを除菌する殺菌用ＵＶランプと、前記殺菌用ＵＶランプを電源に接続する接続手段とを備えており、必要に応じて、前記容器は、二つのケースを蝶番で連結し開閉可能に構成した２枚貝状の形状として構成することが可能である。また、前記容器には前記ＵＶランプの点灯状況を表示する表示手段を設けることもできる。
【実施例】
【０００９】
以下、本発明の実施例を図面を参照し、部材には符号を付して説明する。
図１、図２は本発明に係る第１実施例であり、図中１はＣＤケースのような深さの異なる薄い二枚貝状の容器Ａであり、この容器Ａは二つの部材を蝶番２で連結し、ＣＤケースのように略密閉状態を得ることができる開閉自在の容器となっている。
容器Ａの蝶番２の部分にはマスクホルダー保持部材３が適宜手段で取り付けられており、このマスクホルダー保持部材３にマスクホルダー４が固定あるいは着脱自在に取り付けられる構成となっている。
【００１０】
保持部材３に取り付けるマスクホルダー４は、図２でも明らかなように本例では網目状の部材を用いて、略四角形で中央部が膨らみをもった袋状に形成されている。そして、同マスクホルダー４は立体マスクを保持できるように自由端側の中央部を曲線状５に、その両端を耳状の突起６と成るように形成する。マスクホルダー４の内部にはマスクを除菌するＵＶランプ７が適宜手段で配置されている。マスクホルダー４に網目状部材を使用する理由は、マスクホルダー４内に配置したＵＶランプ７の光がマスクの内面に十分に届くようにするためである。
【００１１】
マスクホルダー４は容器の中央部に位置するように配置され、このマスクホルダー４に使用済のマスクをマスクホルダー４を挟むように二つ折の状態で被せることができる。マスクホルダー４を構成する網状の物体を、図１のような形状に成形することで、平らなマスクはマスクホルダーの両先端を含んで被せることで対応でき、立体形のマスクはマスクホルダーの両端（突起６）には被せず、ホルダーの先端がカーブを描いている曲線状５の部分にのみ被せれば対応できるので、どのような形状のマスクでも装着可能となる。
【００１２】
マスクホルダー４の内部には前述したように病原菌やウイルスを殺傷・無害化できる公知のＵＶランプが設けられており、このランプに電源が接続される構成となっている。ＵＶランプは、必要に応じてスイッチのＯＮ、ＯＦＦにより点滅ができるように構成されている。
【００１３】
また容器Ａの適宜箇所にも上記と同じＵＶランプ８が少なくとも１つ以上取り付けられており、これらのランプも電源に接続される構成となっている。
さらに、容器Ａの内側の自由端側にはマスクの耳かけ紐を引っ掛けることができるフック９が適宜個数が設けられている。
【００１４】
上記構成からなるマスク用除菌器の作用について説明する。
容器Ａを開き、マスクホルダー４に使用済みのマスクを二つ折にしてマスクホルダー４を挟むように装着してスイッテを入れると、ＵＶランプ７、８が点灯し、この光によって網目状のマスクホルダー４を介してマスク内面を残すところなく殺菌できる。また容器に取り付けたＵＶランプ８も同時に点灯するためマスクの外側をも同様に殺菌することができる。また、マスクの耳かけ紐は容器のフック９に保持することで、紐が邪魔になることはない。
また使用済マスクが立体マスクの場合には、立体部をマスクホルダー４の自由端の曲線部５に装着することで安定して立体マスクをマスクホルダーに保持できる。
【００１５】
次に本発明の第２実施例を図２、図３を参照して説明する。
第２実施例は、マスクホルダーの形状が第１実施例と異なっている。
第２実施例ではマスクホルダー２４を茶筅のように先端が緊がっていない細い棒の集合体を平たく押しつぶしたような形状で構成し、これをマスクホルダー保持部材２３に固定あるいは着脱自在に取り付けた点に特徴がある。容器Ａの構成、蝶番２２、マスクホルダー保持部材２３、マスクホルダー２４内および容器Ａに設けるＵＶランプ２７、２８、フック２９等の構成は基本的には第１実施例と同様である。
この第２実施例でも、マスクの殺菌は第１実施例と同様に使用済マスクをマスクホルダー２４に装着し、ＵＶランプ２７、２８を点灯することでマスクの殺菌することができる。
【００１６】
以上、本実施例を説明したが、マスク用除菌器は以下に述べるように種々の形態を採用することができる。また、本考案はその精神又は主要な特徴から逸脱することなく他の色々な形で実施することができる。また、前述の実施例はあらゆる点で単なる例示に過ぎず、限定的に解釈してはならない。
１）このマスクホルダーは必ずしも網状、もしくは平たい茶筅状である必要はなく、ＵＶ光がマスクの内側に充分当ることが確保できるならぱ、いかなる形状のものでも構わない。
２）本マスクホルダーの素材は金属、プラスチック、竹など素材を選ぱないが、網状もしくは茶筅状に成形でき、マスクホルダーに装着したマスクの内側に出来るだけ多くのＵＶ光を照射できるように、出来るだけ細い針金状のものを加工して作られていることが望ましい。
３）マスクホルダーの材料としてガラスや、アクリルのような透明な素材でＵＶ透過率が高い物質であれば、上記マスクホルダーをわざわざ網状もしくは茶筅状に加工しなくても良く、ガラスやプラスチツク等透明な物質を求められる形状に加工し、その根本内部にＵＶランプを差し込めるようにしたものでも良い。
４）本マスクホルダーは、マスクホルダーにマスクを容易に着脱できるように、複数のＣＤが入るＣＤケースのＣＤホルダのように、二枚貝状の二つの容器の中に収まり、二枚貝状の容器の動きと連動せずに、自由に開閉、動かせることが望ましい。
５）マスクホルダーは異なる形状のマスク（即ち、平らなマスクと立体形のマスク）のいずれにも対応できるように先端が成形されている旨記載したが、一つのマスクホルダーで異なる形状のマスクを装着することを止め、先端が異なる形状のマスクホルダーを複数用意し、使用するマスクの形状が変わる度に、マスクホルダー保持部材に異なる形状のマスクホルダーを着脱・交換できるようにしても良い。また、マスクホルダーの形状もマスクの形状に合わせて種々の形態を採用することができる。
６）また、本マスク用除菌器は、二枚貝状の容器の夫々内側に、マスクの耳かけ紐をひっかけるフックが付いており、マスクをマスクホルダーに装着する際に耳かけ紐をこれらのフックに引っ掛けることにより、二枚貝状の除菌器を開閉する時に耳かけ紐が除菌器からはみ出し邪魔することを防止することができる。
７）上記フックがスブリング等で外側に突っ張る仕組みになっていれば耳かけ紐が除菌器内で弛まずより理想的である。
８）マスク用除菌器内のＵＶランプはそれぞれ単一である必要はなく、必要に応じて数を増やしても良い
９）また、マスク用除菌器を厚くするなどし、且つ内包するマスクホルダーの数を増やして、複数のマスクを同時に除菌できるようにしても良い。
１０）本マスク用除菌器の形状は、必ずしもＣＤケースのように二枚貝状である必要は無く、マスクを容易に収納でき、除薗器の内側に装着されているＵＶランブでマスクの表裏を殺菌出来れぱ、どのような形状でも、またどのような開閉機構を用いていても良い。
１１）本マスク用除菌器は、ポケットや鞄、或いはハンドバック等に入れて容易に持ち運ぴできるように薄くて軽いことが望ましい。そして、外出先等でマスクを外し、そしてその後短時間で再びマスクを顔に着けることを想定すると、マスクを短時間で殺菌できることが望ましいため、本マスク用除菌器のＵＶランプは小電力、即ち単三もしくは単四等の小型電池で点灯でき、且つ強力なものであることが望ましい。その場合、本マスク用除菌器は容器の適宜部位に乾電池を収納できる場所を設ける必要があるが、ＵＶランプの電源は乾電池に限定されず、必要に応じて充電タイプの電池もしくはＡＣ／ＤＣアダプターを使用して、家庭用コンセントに直接接続できるようにすることもできる。
１２）本マスク用除菌器の容器の外側に、殺菌中であることや殺菌が終了したことを知らせる点減式の小型のＬＥＤランプ等を付けれぱ、この除菌器の外から現在殺菌中であるか、或いは殺菌が終了したかが一目で分かり便利である。
１３）本マスク用除菌器の容器の材質は間わないが、持ち運びに便利な軽星のアルミ製、もしくはプラスチック製であることが望ましい。
【産業上の利用可能性】
【００１７】
この発明に係るマスク用除菌器は、家庭や医療機関で生じる使用済のマスクの有効利用を図ることができる。
【符号の説明】
【００１８】
Ａ      容器
１      ケース
２      蝶番
３      マスクホルダー保持部材
４      マスクホルダー
５      曲線状
６      突起
７、８  ＵＶランプ                                                              ９      フック
【先行技術文献】
【特許文献】
【００１９】
【特許文献１】特開２００７−２６７８１１
【特許文献２】特表２００９−５１４６５４
【図１】
2011078678.tif 000003
【図２】
2011078678.tif 000004
【図３】
2011078678.tif 000005
【図４】
2011078678.tif 000006